(57)【要約】      （修正有）【課題】食品を取り出す作業効率が高く、かつ食品を補充する作業効率も高い食品冷蔵庫を提供する。【解決手段】出入口１ａ，１ｂと開口２ａ，２ｂとを有する囲い体１０と、囲い体１０内に配置され、一側２０ｆが囲い体１０内側を向き、他側２０ｇが囲い体１０の開口２ａ，２ｂに連通するスルーラック２０ａ，２０ｂとを備えている。スルーラック２０ａ，２０ｂは、コロコンベア２３ａ，２３ｂを持った棚板２２ａ，２２ｂを有している。囲い体１０の開口２ａ，２ｂには、開閉扉３０ａ，３０ｂ，３０ｃが設けられている。食品は、囲い体１０内側の一側２０ｆからスルーラック２０ａ，２０ｂ内へ投入され、開口２ａ，２ｂを介して他側２０ｇから取り出される。【選択図】図１
0003119158.tif 000002
【実用新案登録請求の範囲】
【請求項１】
出入口と開口とを有する囲い体と、
囲い体内に配置され、一側が囲い体内側を向き、他側が囲い体の開口に連通するとともに、コロコンベアを有するスルーラックとを備え、
囲い体の開口に開閉扉を設け、
食品を囲い体内側の一側から投入し、開口を介して他側から取り出すことを特徴とする食品冷蔵庫。
【請求項２】
スルーラックは、食品の取出頻度の高い高頻度領域と、食品の取出頻度の低い低頻度領域とからなり、
開閉扉は、高頻度領域に対応する高頻度扉と、低頻度領域に対応する低頻度扉とからなることを特徴とする請求項１記載の食品冷蔵庫。
【請求項３】
囲い体内に定常ラックを設けたことを特徴とする請求項１記載の食品冷蔵庫。
【請求項４】
囲い体の出入口は、複数箇所に設けられていることを特徴とする請求項１記載の食品冷蔵庫。
【請求項５】
スルーラックは、コロコンベアの設けられた棚板を有し、
当該棚板は、囲い体内側の一側から開口に連通する他側へ下るようにして傾斜していることを特徴とする請求項１記載の食品冷蔵庫。
【考案の詳細な説明】
【技術分野】
【０００１】
本発明は、作業効率を向上させる食品冷蔵庫に関する。
【背景技術】
【０００２】
図５に示すように、従来の食品冷蔵庫は、囲い体１０と、当該囲い体１０に設けられ、人が出入りすることのできる出入口１と、当該出入口１に設けられ、出入口１を開閉する出入口扉５とを備えている。
【０００３】
また図５に示すように、囲い体１０内には、食品を配置するための複数の定常ラック３５が設けられている。
【考案の開示】
【考案が解決しようとする課題】
【０００４】
しかしながら、従来の食品冷蔵庫においては、定常ラック３５に食品を配置する際、手前から順に配置するため、先に配置済みの食品から使用する場合には、定常ラック３５の奥から食品を取り出す必要があるため、食品を取り出す作業効率が悪い。
【０００５】
一方、先に配置済みの食品を定常ラックの手前に配置し、新しい食品を定常ラックの奥に配置するには、食品を補充する際、定常ラック３５の奥から順に食品を配置する必要があるため、食品を補充する作業効率が悪い。
【０００６】
本発明は、このような点を考慮してなされたものであり、食品を取り出す作業効率が高く、かつ食品を補充する作業効率も高い食品冷蔵庫を提供することを目的とする。
【課題を解決するための手段】
【０００７】
本発明は、出入口と開口とを有する囲い体と、囲い体内に配置され、一側が囲い体内側を向き、他側が囲い体の開口に連通するとともに、コロコンベアを有するスルーラックとを備え、囲い体の開口に開閉扉を設け、食品を囲い体内側の一側から投入し、開口を介して他側から取り出すことを特徴とする食品冷蔵庫である。
【０００８】
本発明は、スルーラックは、食品の取出頻度の高い高頻度領域と、食品の取出頻度の低い低頻度領域とからなり、開閉扉は、高頻度領域に対応する高頻度扉と、低頻度領域に対応する低頻度扉とからなることを特徴とする食品冷蔵庫である。
【０００９】
本発明は、囲い体内に定常ラックを設けたことを特徴とする食品冷蔵庫である。
【００１０】
本発明は、囲い体の出入口は、複数箇所に設けられていることを特徴とする食品冷蔵庫である。
【００１１】
本発明は、スルーラックは、コロコンベアの設けられた複数の棚板を有し、当該棚板は、囲い体内側の一側から開口に連通する他側へ下るようにして傾斜していることを特徴とする食品冷蔵庫である。
【考案の効果】
【００１２】
本発明によれば、食品を取り出す作業効率が高く、かつ食品を補充する作業効率も高い食品冷蔵庫を提供することができる。
【考案を実施するための最良の形態】
【００１３】
発明の実施の形態
以下、本発明に係る食品冷蔵庫の一実施の形態について、図面を参照して説明する。ここで、図１乃至図４は本発明の第１の実施の形態を示す図である。
【００１４】
本発明の食品冷蔵庫は、様々な食品を冷蔵して保存するために用いることができる。
【００１５】
図１乃至図４に示すように、本発明の食品冷蔵庫は、図１の手前の側面１０ａに設けられた第一の出入口１ａと、右手の側面１０ｃに設けられた第二の出入口１ｂと、手前の側面１０ａに設けられた第一の開口２ａと、第二の出入口１ｂと第一の開口２ａとの間に設けられた第二の開口２ｂとを有する囲い体１０を備えている。このうち側面１０ａに設けられた第一の出入口１ａには、当該第一の出入口１ａを開閉する第一の出入り扉５ａが設けられ、第二の出入口１ｂには、当該第二の出入口１ｂを開閉する第二の出入り扉５ｂが設けられている。
【００１６】
また囲い体１０内であって、側面１０ａ側には、図１乃至図３に示すように、一側２０ｆが囲い体１０内側を向き、他側２０ｇが囲い体１０の第一の開口２ａに連通する第一のスルーラック２０ａと、一側２０ｆが囲い体１０内側を向き、他側２０ｇが囲い体１０の第二の開口２ｂに連通する第二のスルーラック２０ｂとが配置されている。
【００１７】
このうち、第一のスルーラック２０ａと、第二のスルーラック２０ｂとによってスルーラック２０ａ，２０ｂが構成されている。
【００１８】
また図１に示すように、囲い体１０内であって奥側の側面１０ｂには、取出頻度が極めて低い食品を貯蔵するための定常ラック３５が設けられている。
【００１９】
また図２に示すように、第一のスルーラック２０ａは、フレーム２８ａと、フレーム２８ａに取り付けられた平板状の棚板２１ａと、フレーム２８ａに取り付けられ、コロコンベア２３ａが設けられた棚板２２ａとを有している。また図２及び図３に示すように第二のスルーラック２０ｂは、フレーム２８ｂと、フレーム２８ｂに取り付けられコロコンベア２３ｂが設けられた複数の棚板２２ｂとを有している。
【００２０】
図２及び図３に示すように、第一のスルーラック２０ａの棚板２２ａと、第二のスルーラック２０ｂの棚板２２ｂは、囲い体１０内側の一側２０ｆから第二の開口２ｂに連通する他側２０ｇへ下るようにして傾斜している。
【００２１】
また図１乃至図３に示すように、第一のスルーラック２０ａは、その内部が更に、食品の取出頻度の高い第一領域２５ａと、食品の取出頻度が中程度の第二領域２５ｂとから構成されている。また第二のスルーラック２０ｂは、食品の取出頻度の低い第三領域２５ｃから構成されている。
【００２２】
また図１及び図２に示すように、第一の開口２ａには、第一のスルーラック２０ａの第一領域２５ａに対応した第一扉３０ａ（開閉扉）と、第二領域２５ｂに対応した第二扉３０ｂ（開閉扉）とが設けられている。また第二の開口２ｂには、第二のスルーラック２０ｂの第三領域２５ｃに対応する第三扉３０ｃ（開閉扉）が設けられている。
【００２３】
この場合、第一領域２５ａは、第二領域２５ｂと第三領域２５ｃに対して高頻度領域になり、第二領域２５ｂと第三領域２５ｃは、第一領域２５ａに対して低頻度領域になる。また第一領域２５ａと第二領域２５ｂとは、第三領域２５ｃに対して高頻度領域になり、第三領域２５ｃは、第一領域２５ａと第二領域２５ｂとに対して低頻度領域になる。
【００２４】
また、第一扉３０ａは、第二扉３０ｂと第三扉３０ｃに対して高頻度扉になり、第二扉３０ｂと第三扉３０ｃは、第一扉３０ａに対して低頻度扉になる。また第一扉３０ａと第二扉３０ｂとは、第三扉３０ｃに対して高頻度扉になり、第三扉３０ｃは、第一扉３０ａと第二扉３０ｂとに対して低頻度扉になる。
【００２５】
次に、このような構成からなる本実施の形態の作用について述べる。
【００２６】
図１乃至図３に示すように、本発明の食品冷蔵庫の囲い体１０内の手前の側面１０ａ側に設けられた第一のスルーラック２０ａと、第二のスルーラック２０ｂの一側２０ｆは囲い体１０内側を向き、他側２０ｇは囲い体１０の開口２ａ，２ｂに連通している。このため、食品を囲い体１０内側の一側２０ｆからスルーラック２０ａ，２０ｂへ投入するとともに、スルーラック２０ａ，２０ｂの食品を開口２ａ，２ｂを介して他側２０ｇから取り出すことができる。
【００２７】
すなわち、一側２０ｆからスルーラック２０ａ，２０ｂに配置した食品をすでに配置した順に、開口２ａ，２ｂを介して他側２０ｇから取り出すことができる。このため、開口２ａ，２ｂを介してスルーラック２０ａ，２０ｂ内の食品を取り出す際、先に配置済みの食品から順に取り出すことができ、食品を取り出す作業効率を向上させることができる。また、一側２０ｆからスルーラック２０ａ，２０ｂに順に食品を補充することができるため、食品を補充する作業効率を向上させることができる。
【００２８】
また図１に示すように、囲い体１０内の奥側の側面１０ｂ側には定常ラック３５が設けられており、取出頻度の極めて低い食品も食品冷蔵庫の囲い体１０内に貯蔵することができる。
【００２９】
また図２及び図３に示すように、第一のスルーラック２０ａの棚板２２ａと第二のスルーラック２０ｂの棚板２２ｂには、各々コロコンベア２３ａ，２３ｂが設けられている。このため、棚板２２ａ，２２ｂ上に配置された食品を、容易に移動させることができる。
【００３０】
また図２及び図３に示すように第一のスルーラック２０ａの棚板２２ａと第二のスルーラック２０ｂの棚板２２ｂは、囲い体１０内側の一側２０ｆから第二の開口２ｂへ下るようにして傾斜している。このため、第一のスルーラック２０ａの棚板２２ａと第二のスルーラック２０ｂの棚板２２ｂに配置された食品を、各々のコロコンベア２３ａ，２３ｂを用いて、自動的に囲い体１０内側の一側２０ｆから開口２ａ，２ｂ側の他側２０ｇへと移動させることができる。
【００３１】
また図１乃至図３に示すように、第一のスルーラック２０ａは、食品の取出頻度の高い第一領域２５ａと、食品の取出頻度が中程度の第二領域２５ｂとから構成されており、第二のスルーラック２０ｂは、食品の取出頻度の低い第三領域２５ｃから構成されている。このように取出頻度に応じて食品を貯蔵することによって、必要な食品を探す時間を短縮することができる。
【００３２】
また図１及び図４に示すように、囲い体１０には手前の側面１０ａに位置する第一の出入口１ａと、右側の側面１０ｃに位置する第二の出入口１ｂとが設けられている。このため、例えば図４に示すように、食品冷蔵庫の囲い体１０の側面１０ｃが壁面に接するよう部屋５０の隅に配置したとしても、手前の側面１０ａに設けられた第一の出入口１ａから人が出入りすることができる。このため食品冷蔵庫の設置レイアウトの自由度を高めることができる。なお図４は、側面１０ｃが壁面に接するよう部屋５０の隅に食品冷蔵庫を配置した状態を示した概略平面図である。
【図面の簡単な説明】
【００３３】
【図１】本発明による食品冷蔵庫の一実施の形態を示す斜視図。
【図２】本発明による食品冷蔵庫の一実施の形態における囲い体内部を示す斜視図。
【図３】本発明による食品冷蔵庫の一実施の形態における第二のスルーラックを示す斜視図。
【図４】本発明による食品冷蔵庫を部屋の隅に配置示した状態を示した概略平面図。
【図５】従来の食品冷蔵庫を示した斜視図。
【符号の説明】
【００３４】
１ａ  第一の出入口
１ｂ  第二の出入口
２ａ  第一の開口
２ｂ  第二の開口
１０  囲い体
２０ａ  第一のスルーラック
２０ｂ  第二のスルーラック
２０ｆ  スルーラックの一側
２０ｇ  スルーラックの他側
２１ａ  平板状の棚板
２２ａ，２２ｂ  コロコンベアの設けられた棚板
２３ａ，２３ｂ  コロコンベア
２５ａ  第一領域
２５ｂ  第二領域
２５ｃ  第三領域
３０ａ  第一扉
３０ｂ  第二扉
３０ｃ  第三扉
３５  定常ラック
【図１】
0003119158.tif 000003
【図２】
0003119158.tif 000004
【図３】
0003119158.tif 000005
【図４】
0003119158.tif 000006
【図５】
0003119158.tif 000007